(57)【特許請求の範囲】
【請求項１】
給水用ボトルが保持される植木鉢であって、
上方が開放された胴体と、
前記胴体の上端の一部に形成された突起体と、
一方端が前記突起体に係合すると共に、他方端が前記胴体の内方に位置するように延びて倒立状態の給水用ボトルに固定されるアーム体とを備え、
前記アーム体の前記他方端は、前記給水用ボトルの注水口に螺合すると共に、その先端には少なくとも１個の開口が形成されるキャップ部を構成し、
前記アーム体の前記一方端は、上下反転した状態で前記突起体に脱着自在に係合し、前記他方端は、前記胴体の外方に位置することが可能に構成され、前記給水用ボトルを前記胴体の外で正立状態に保持する、植木鉢。
【請求項２】
前記アーム体の前記一方端は、前記突起体に対して脱着自在に、且つ回動自在に係合する、請求項１記載の植木鉢。
【請求項３】
前記突起体が形成される前記胴体の部分は、平面視において内方側に凹んだ形状を有し、正立時の前記給水用ボトルの一部は前記凹んだ形状に沿って保持される、請求項２記載の植木鉢。
【請求項４】
給水用ボトルが保持される植木鉢であって、
上方が開放された胴体と、
前記胴体の上端の一部に形成された凹み体と、
一方端が前記凹み体に係合すると共に、他方端が前記胴体の内方に位置するように延びて倒立状態の給水用ボトルに固定されるアーム体とを備え、
前記アーム体の前記他方端は、前記給水用ボトルの注水口に螺合すると共に、その先端には少なくとも１個の開口が形成されるキャップ部を構成し、
前記アーム体の前記一方端は、上下反転した状態で前記凹み体に脱着自在に係合し、前記他方端は、前記胴体の外方に位置することが可能に構成され、前記給水用ボトルを前記胴体の外で正立状態に保持する、植木鉢。
【発明の詳細な説明】
【技術分野】
【０００１】
この発明は植木鉢に関し、特に小学校等で教材として用いられ、給水用ボトルが保持される植木鉢に関するものである。
【背景技術】
【０００２】
図１５は、特許文献１で開示された従来の植木鉢の使用状態を示す分解斜視図である。
【０００３】
図を参照して、従来の植木鉢７１は、特に小学校等で教材として用いられるものであって、その内部に土５を収容することができる胴部７３と、胴部７３の上端に接続され、ホルダー用孔７９が形成され、水平方向の外方に延びるフランジ部７５と、フランジ部７５のホルダー用孔７９に脱着自在に取り付けられ、給水用ボトル１を保持することができる容器ホルダー８１とから構成される。
【０００４】
容器ホルダー８１は、フランジ部７５のホルダー用孔７９に回動自在に嵌合する軸形状部分を有する取付部８２と、取付部８２に一体的に接続されて、給水用ボトル１の胴部をその周囲で保持することができるリング形状の保持部８３とから構成される。
【０００５】
図１６は、図１５で示した植木鉢の使用状態を示す斜視図であり、図１７は、図１６で示したＸＶＩＩ−ＸＶＩＩラインから見た断面図である。
【０００６】
使用に際して、図１６を参照して、容器ホルダー８１は、その取付部８２を介して植木鉢７１に一体的に取り付けられている。上下逆さまに倒立状態にされた給水用ボトル１は、その胴部を容器ホルダー８１の保持部８３で保持され、その先端に位置する灌水キャップ３は、植木鉢７１の胴部７３の内部に収容された土５に挿し込まれている。そして、給水用ボトル１の内部に充填された図示しない水が、灌水キャップ３を介して土５に注がれることになる。これにより、植木鉢７１が小学校等で教材（朝顔の生育観察等）として用いられるとき、小学校等で休日が連続するような場合でも、学童による給水に代って、給水が自動的に行われることになる。
【０００７】
図１７を参照して、給水用ボトル１を保持する容器ホルダー８１は、前述のように水平方向に回動自在となるように、取付部８２を介して図１５で示したホルダー用孔７９に取り付けられている。そのため、実線の矢印で示したように容器ホルダー８１は、ホルダー用孔７９を回動中心として回動できるので、給水用ボトル１は二点鎖線で示されたような位置に移動できる。従って、給水用ボトル１による給水位置を適宜変えることができる。
【先行技術文献】
【特許文献】
【０００８】
【特許文献１】実用新案登録第３０９５５５６号公報
【発明の概要】
【発明が解決しようとする課題】
【０００９】
上記のような従来の植木鉢７１において、給水用ボトル１を使用しないときは、図１６で示した状態の容器ホルダー８１から給水用ボトル１を取り外して、植木鉢７１とは別に保管する必要があり、給水用ボトル１を紛失する虞があった。又、給水用ボトル１は、容器ホルダー８１の保持部８３によって保持されているものの、保持部８３に固定されたものではなかったので、保持状態が不安定であり、強風等で不用意に移動する虞があった。更に、植木鉢７１に取り付けられた容器ホルダー８１は、図１７で示したように水平方向に回動自在であったが、回動範囲は狭いものであった。
【００１０】
この発明は、上記のような課題を解決するためになされたもので、給水用ボトルの紛失や不用意な移動がないと共に、使い勝手が向上する植木鉢を提供することを目的とする。
【課題を解決するための手段】
【００１１】
上記の目的を達成するために、請求項１記載の発明は、給水用ボトルが保持される植木鉢であって、上方が開放された胴体と、胴体の上端の一部に形成された突起体と、一方端が突起体に係合すると共に、他方端が胴体の内方に位置するように延びて倒立状態の給水用ボトルに固定されるアーム体とを備え、アーム体の他方端は、給水用ボトルの注水口に螺合すると共に、その先端には少なくとも１個の開口が形成されるキャップ部を構成し、アーム体の一方端は、上下反転した状態で突起体に脱着自在に係合し、他方端は、胴体の外方に位置することが可能に構成され、給水用ボトルを胴体の外で正立状態に保持するものである。
【００１２】
このように構成すると、給水用ボトルは、アーム体を介して胴体に保持される。又、アーム体と給水用ボトルとの接続や分離が容易になる。更に、給水用ボトルの不使用時にもアーム体を介して保持することが可能になる。
【００１５】
請求項２記載の発明は、請求項１記載の発明の構成において、アーム体の一方端は、突起体に対して脱着自在に、且つ回動自在に係合するものである。
【００１６】
このように構成すると、給水用ボトルの不使用時にはアーム体ごと取り外し、使用時には給水用ボトルの給水位置を変えることが可能になる。
【００１９】
請求項３記載の発明は、請求項２記載の発明の構成において、突起体が形成される胴体の部分は、平面視において内方側に凹んだ形状を有し、正立時の給水用ボトルの一部は凹んだ形状に沿って保持されるものである。
【００２０】
このように構成すると、植木鉢の全体がコンパクトになると共に、給水用ボトルの回動範囲が拡大する。
【００２１】
請求項４記載の発明は、給水用ボトルが保持される植木鉢であって、上方が開放された胴体と、胴体の上端の一部に形成された凹み体と、一方端が凹み体に係合すると共に、他方端が胴体の内方に位置するように延びて倒立状態の給水用ボトルに固定されるアーム体とを備え、アーム体の他方端は、給水用ボトルの注水口に螺合すると共に、その先端には少なくとも１個の開口が形成されるキャップ部を構成し、アーム体の一方端は、上下反転した状態で凹み体に脱着自在に係合し、他方端は、胴体の外方に位置することが可能に構成され、給水用ボトルを胴体の外で正立状態に保持するものである。
【００２２】
このように構成すると、給水用ボトルは、アーム体を介して胴体に保持される。又、アーム体と給水用ボトルとの接続や分離が容易になる。更に、給水用ボトルの不使用時にもアーム体を介して保持することが可能になる。
【発明の効果】
【００２３】
以上説明したように、請求項１記載の発明は、給水用ボトルは、アーム体を介して胴体に保持されるため、給水用ボトルの紛失や不用意な移動がない。又、アーム体と給水用ボトルとの接続や分離が容易になるため、使い勝手が向上する。更に、給水用ボトルの不使用時にもアーム体を介して保持することが可能になるため、不使用時の給水用ボトルやアーム体の紛失の虞がない。
【００２５】
請求項２記載の発明は、請求項１記載の発明の効果に加えて、給水用ボトルの不使用時にはアーム体ごと取り外し、使用時には給水用ボトルの給水位置を変えることが可能になるため、使い勝手がより向上する。
【００２７】
請求項３記載の発明は、請求項２記載の発明の効果に加えて、植木鉢の全体がコンパクトになると共に、給水用ボトルの回動範囲が拡大するため、効率的な配置となる。
【００２８】
請求項４記載の発明は、給水用ボトルは、アーム体を介して胴体に保持されるため、給水用ボトルの紛失や不用意な移動がない。又、アーム体と給水用ボトルとの接続や分離が容易になるため、使い勝手が向上する。更に、給水用ボトルの不使用時にもアーム体を介して保持することが可能になるため、不使用時の給水用ボトルやアーム体の紛失の虞がない。
【図面の簡単な説明】
【００２９】
【図１】この発明の第１の実施の形態による植木鉢を示す概略斜視図である。
【図２】図１で示した植木鉢の概略正面図である。
【図３】図２で示したＩＩＩ−ＩＩＩラインから見た概略拡大断面図である。
【図４】図２で示したＩＶ−ＩＶラインから見た概略拡大断面図である。
【図５】図１で示した植木鉢に係合する、この発明の第１の実施の形態によるアーム体を示す概略斜視図である。
【図６】図５で示したＶＩ−ＶＩラインから見た概略拡大断面図である。
【図７】図１で示した植木鉢において、図５で示したアーム体を介して、給水用ボトルを正立状態で保持した概略斜視図である。
【図８】図７で示したＶＩＩＩ−ＶＩＩＩラインから見た概略断面図である。
【図９】図１で示した植木鉢において、図５で示したアーム体を介して、給水用ボトルを倒立状態で保持した概略斜視図であって、図７に対応した図である。
【図１０】図９で示したＸ−Ｘラインから見た概略断面図であって、図８に対応した図である。
【図１１】図９で示したＸＩ−ＸＩラインから見た概略断面図である。
【図１２】図９で示したＸＩＩ−ＸＩＩラインから見た概略断面図である。
【図１３】この発明の第２の実施の形態による植木鉢に係合するアーム体であって、図５に対応した図である。
【図１４】この発明の第２の実施の形態による植木鉢において、図１３で示したアーム体を介して、給水用ボトルを正立状態で保持した際の概略拡大断面図であって、図８で示した“Ｘ”部分の概略拡大図に対応した図である。
【図１５】特許文献１で開示された従来の植木鉢の使用状態を示す分解斜視図である。
【図１６】図１５で示した植木鉢の使用状態を示す斜視図である。
【図１７】図１６で示したＸＶＩＩ−ＸＶＩＩラインから見た断面図である。
【発明を実施するための形態】
【００３０】
図１は、この発明の第１の実施の形態による植木鉢を示す概略斜視図であり、図２は、図１で示した植木鉢の概略正面図であり、図３は、図２で示したＩＩＩ−ＩＩＩラインから見た概略拡大断面図であり、図４は、図２で示したＩＶ−ＩＶラインから見た概略拡大断面図である。
【００３１】
これらの図を参照して、植木鉢１１は、特に小学校等で教材として用いられ、後述する給水用ボトルが保持されるものであって、合成樹脂等を射出成形することによって形成され、その内部に図示しない土を収容することができ、上方が開放された胴体２０と、胴体２０の上端の一部に形成された略円柱形状を有する突起体２３とから構成される。
【００３２】
植木鉢１１の胴体２０の上端の四隅付近には、朝顔等を生育する際に蔓の巻き付け用に用いられる図示しない支柱を取り付けるための支柱用孔２６ａ〜２６ｄが形成されている。
【００３３】
植木鉢１１の突起体２３は、支柱用孔２６ａと支柱用孔２６ｂとの間の位置に形成されている。この突起体２３が形成される胴体２０の部分２２は、平面視において内方側に凹んだ形状を有し、後述する正立時の給水用ボトルの一部はこの凹んだ形状に沿って保持されるように形成されている。このように構成した理由については、後述する。尚、胴体２０の部分２２は、図４で示すように所定長さＬだけ内方側に凹んでいる。ここでの所定長さＬは、突起体２３の中心から正面側の胴体２０の上端位置までの水平距離である。
【００３４】
胴体２０の部分２２の外方側に開口２８を形成するように、胴体２０の部分２２に接続されたガイド部２９が形成されている。このガイド部２９の正面側には、植木鉢１１の所有者名等を記入するためのネーム部３０が形成されている。尚、開口２８の大きさは、後述する正立時の給水用ボトルが挿通することができる大きさに設定されている。
【００３５】
図５は、図１で示した植木鉢に係合する、この発明の第１の実施の形態によるアーム体を示す概略斜視図であり、図６は、図５で示したＶＩ−ＶＩラインから見た概略拡大断面図である。
【００３６】
これらの図を参照して、アーム体３１は、合成樹脂等を射出成形することによって形成され、後述する給水用ボトルに固定されると共に、図１で示した植木鉢１１の突起体２３に係合するものである。アーム体３１の一方端３２は、略筒形状を有し、その側面には開口３３と通じる切欠き３４が形成されている。アーム体３１の他方端３８は、その内部にネジ山４４が形成され、その先端４０に複数の開口４２が形成されたキャップ部３９からなる。このように構成した理由については、後述する。
【００３７】
図７は、図１で示した植木鉢において、図５で示したアーム体を介して、給水用ボトルを正立状態で保持した概略斜視図であり、図８は、図７で示したＶＩＩＩ−ＶＩＩＩラインから見た概略断面図である。
【００３８】
これらの図を参照して、いわゆるＰＥＴボトル（５００ｍｌ程度）等である給水用ボトル１は、正立状態で、植木鉢１１の開口２８に挿通され、その注水口２がアーム体３１の他方端３８であるキャップ部３９に固定されている。アーム体３１の一方端３２は、植木鉢１１の突起体２３に対して脱着自在に、且つ回動自在に係合している。
【００３９】
取り付けに際して、図８を参照して、まず、二点鎖線で示したアーム体３１の他方端３８であるキャップ部３９のネジ山４４を、二点鎖線で示した給水用ボトル１の注水口２に、一点鎖線で示した矢印の方向へ螺合させる。固定態様を螺合するように構成することで、アーム体３１と給水用ボトル１との接続や分離が容易となり、使い勝手が向上する。
【００４０】
次に、実線の矢印の方向へ、給水用ボトル１を、植木鉢１１の開口２８に挿通させる。同時に、アーム体３１の一方端３２の開口３３を、植木鉢１１の突起体２３に嵌合させて係合させる。尚、アーム体３１の一方端３２には、図５で示したように切欠き３４が形成されているため、略円柱形状の突起体２３に脱着自在に、且つ回動自在に係合し易くなっている。
【００４１】
このとき、前述したように、突起体２３が形成された胴体２０の部分２２は、平面視において内方側に凹んだ形状を有し、正立時の給水用ボトル１の一部はこの凹んだ形状に沿って保持されるように形成されているため、給水用ボトル１を保持した植木鉢１１の全体がコンパクトになり、効率的な配置となっている。
【００４２】
又、正立状態で保持された給水用ボトル１の底面と、植木鉢１１の胴部２０の底面（地面に対応）との間に、距離Ｈが設けられるようにアーム体３１は形成されることが好ましい。このように構成することにより、植木鉢１１に一体化された給水用ボトル１の底面は地面に接触しないので、給水用ボトル１に接続されたアーム体３１の一方端３２が植木鉢１１の突起体２３から外れたり、ずれたりせずに、給水用ボトル１と植木鉢１１との係合状態が安定して維持される。そのため、植木鉢１１を持ち上げて移動する際においては、給水用ボトル１と植木鉢１１との係合状態を維持したままで移動可能となる。又、距離Ｈを設けることで、給水用ボトル１と植木鉢１１との係合状態を維持したままで、大きさの異なる給水用ボトル１にも適用できるようになる。尚、距離Ｈは必ずしも設けられていなくても良く、この場合には給水用ボトル１の底面は地面に付くことになる。又、同一の大きさの給水用ボトル１に対して距離Ｈが相違するアーム体３１を別途用意しておくことで、大きさの異なる給水用ボトル１に対して、植木鉢１１を変更することなく、アーム体３１のみを変更して対応することが可能になり、コスト的に有利となる。
【００４３】
これらの図で示した状態において、アーム体３１の他方端３８は、植木鉢１１の胴体２０の外方に位置しており、給水用ボトル１は、植木鉢１１の胴体２０の外で正立状態で保持されている。即ち、給水用ボトル１の不使用時にもアーム体３１を介して保持することが可能となり、不使用時の給水用ボトル１やアーム体３１の紛失の虞がない。
【００４４】
図９は、図１で示した植木鉢において、図５で示したアーム体を介して、給水用ボトルを倒立状態で保持した概略斜視図であって、図７に対応した図であり、図１０は、図９で示したＸ−Ｘラインから見た概略断面図であって、図８に対応した図であり、図１１は、図９で示したＸＩ−ＸＩラインから見た概略断面図であり、図１２は、図９で示したＸＩＩ−ＸＩＩラインから見た概略断面図である。
【００４５】
これらの図を参照して、給水用ボトル１は、倒立状態で、その注水口２がアーム体３１の他方端３８であるキャップ部３９に固定されている。アーム体３１の一方端３２は、植木鉢１１の突起体２３に対して脱着自在に、且つ回動自在に係合している。
【００４６】
取り付けに際して、図１０を参照して、まず、二点鎖線で示した給水用ボトル１の注水口２に、二点鎖線で示したアーム体３１の他方端３８であるキャップ部３９のネジ山４４を、一点鎖線で示した矢印の方向へ螺合させる。
【００４７】
次に、実線の矢印の方向へ、倒立状態の給水用ボトル１の注水口２に螺合固定されたアーム体３１のキャップ部３９を、植木鉢１１の胴体２０の内部に入れる。同時に、アーム体３１の一方端３２の開口３３を、植木鉢１１の突起体２３に嵌合させて係合させる。このとき、アーム体３１の他方端３８は胴体２０の内方に位置するように延びて倒立状態の給水用ボトル１に固定されるように形成されている。このように構成することにより、給水用ボトル１は、アーム体３１を介して胴体２０に保持されるため、給水用ボトル１の紛失や不用意な移動がない。
【００４８】
又、このとき、アーム体３１のキャップ部３９の先端４０が、植木鉢１１の胴体２０内部の二点鎖線で示した土５に挿入されるようになっている。これにより、給水用ボトル１の内部に充填された図示しない水等が、キャップ部３９の先端４０に形成された開口４２を介して、土５に注がれることになる。
【００４９】
更に、アーム体３１の一方端３２は、略筒形状を有し、上下反転した状態で突起体２３に対して脱着自在に係合できるように形成されている。そのため、給水用ボトル１が保持されたアーム体３１ごと、突起体２３から取り外して、上下反転させた状態で再び突起体２３に係合させることで、図９で示した倒立状態（使用時）で給水用ボトル１が植木鉢１１に保持された状態から、図７で示した正立状態（不使用時）で給水用ボトル１が植木鉢１１に保持された状態へと変更することができる。従って、給水用ボトル１の不使用時にはアーム体３１ごと、植木鉢１１から取り外しても良く、使い勝手がより向上したものとなっている。又、逆に、正立状態（不使用時）から倒立状態（使用時）への変更も可能である。
【００５０】
使用に際して、図１１及び図１２を参照して、倒立状態で給水用ボトル１が保持されたアーム体３１は、その一方端３２が係合している突起体２３を回動中心として、水平方向に回動自在となっている。前述したように、突起体２３が形成された胴体２０の部分２２は、平面視において所定長さＬだけ内方側に凹んだ形状を有している。このように構成することにより、実線で示した給水用ボトル１の状態から、二点鎖線で示した給水用ボトル１の状態へと回動させたとき、突起体２３の中心を回動中心としたときの回動角θは、図１７で示した従来の植木鉢７１を回動させたときよりも大きくなる。即ち、給水用ボトル１の回動範囲が拡大するため、給水位置の範囲が広がり、効率的な配置となる。
【００５１】
図１３は、この発明の第２の実施の形態による植木鉢に係合するアーム体であって、図５に対応した図であり、図１４は、この発明の第２の実施の形態による植木鉢において、図１３で示したアーム体を介して、給水用ボトルを正立状態で保持した際の概略拡大断面図であって、図８で示した“Ｘ”部分の概略拡大図に対応した図である。
【００５２】
尚、この第２の実施の形態による植木鉢１２は、図１で示した第１の実施の形態による植木鉢１１と基本的な構成は同一であり、植木鉢１１と同様の効果を奏する。ここでは、その相違点を中心に説明する。
【００５３】
これらの図を参照して、第２の実施の形態による植木鉢１２のアーム体３１の一方端３２は、下方に略円柱形状を有する突起部３６ａと、上方に略円柱形状を有する突起部３６ｂとから構成される。即ち、植木鉢１２のアーム体３１の一方端３２は、図５で示した第１の実施の形態による植木鉢１１のアーム体３１の一方端３２における筒形状を円柱形状（突起部３６ａ及び３６ｂ）に置き換えたものである。
【００５４】
第２の実施の形態による植木鉢１２は、胴体２０の上端の一部に形成された凹み体２４を含んで構成される。この植木鉢１２の凹み体２４は、図１で示した植木鉢１１において突起体２３の代りに置き換えたものである。
【００５５】
使用に際して、図１４を参照して、アーム体３１の一方端３２の突起部３６ａは、植木鉢１２の凹み体２４（底面が開口されているものや側壁に切れ目が形成されているものも含む）に係合する。これにより、正立状態の給水用ボトル１はアーム体３１を介して植木鉢１２の胴体２０に保持される。同様にして、図示しない倒立状態の給水用ボトル１は、その他方端３８が胴体２０の内方に位置する状態で、アーム体３１（突起部３６ｂ）を介して植木鉢１２の胴体２０に保持される。
【００５６】
又、植木鉢１２のアーム体３１の突起部３６ａ及び３６ｂの直径を、植木鉢１２の支柱の直径に合わせ、支柱用孔２６ａ〜２６ｄ（図示せず）に係合するように形成することで、アーム体３１の係合位置を増やすことができ、給水位置の範囲が更に拡大する。
【００５７】
尚、上記の各実施の形態では、植木鉢は、特に小学校等で教材として用いられるものであったが、教材以外の目的で、例えば純粋に植物を栽培するために用いられるものであっても良い。
【００５８】
又、上記の各実施の形態では、植木鉢は、特定の植物を生育するためのものであったが、それ以外の植物を生育するために用いられても良い。
【００５９】
更に、上記の各実施の形態では、胴体の上端は、支柱用孔が形成されたものであったが、支柱用孔は形成されていなくても良い。
【００６０】
更に、上記の各実施の形態では、給水用ボトルは、その内部に給水用の水が充填されたものであったが、例えば植物を生育させる栄養分等が含まれた肥料や液体が充填されたボトルを含むものである。
【００６１】
更に、上記の各実施の形態では、植木鉢は、特定の素材及び成形方法で形成されたものであったが、それ以外の素材及び成形方法で形成されても良い。
【００６２】
更に、上記の各実施の形態では、給水用ボトルは、いわゆるＰＥＴボトルであったが、給水を目的とするものであれば、それ以外の液体容器であっても良い。
【００６３】
更に、上記の各実施の形態では、給水用ボトルは、特定の形状及びサイズを有するものであったが、それ以外の形状及びサイズを有するものであっても良い。
【００６４】
更に、上記の各実施の形態では、アーム体は、特定の素材及び成形方法で形成されたものであったが、それ以外の素材及び成形方法で形成されても良い。
【００６５】
更に、上記の各実施の形態では、アーム体の他方端は、その先端に複数の開口が形成されたものであったが、開口は少なくとも１個あれば良い。
【００６６】
更に、上記の各実施の形態では、アーム体の他方端は、給水用ボトルの注水口に螺合するものであったが、給水用ボトルを固定するものであれば、それ以外の固定方法であっても良い。
【００６７】
更に、上記の各実施の形態では、胴体の部分は、正立時の給水用ボトルの一部は凹んだ形状に沿って保持されるものであったが、平面視において内方側に凹んだ形状を有していれば、正立時の給水用ボトルの一部は凹んだ形状に沿わずに保持されるものであっても良い。
【００６８】
更に、上記の各実施の形態では、植木鉢は、ネーム部を有するものであったが、ネーム部はなくても良い。
【００６９】
更に、上記の各実施の形態では、胴体の部分は、ガイド部が形成されたものであったが、ガイド部は形成されていなくても良い。
【００７０】
更に、上記の第１の実施の形態では、突起体が形成された胴体の部分は、平面視において所定長さだけ内方側に凹んだ形状であったが、平面視において内方側に凹んだ形状であれば、所定長さは自由に決めて良い。
【００７１】
更に、上記の第１の実施の形態では、突起体は、特定の形状を有するものであったが、アーム体の一方端が係合するものであれば、その他の形状であっても良い。
【００７２】
更に、上記の第１の実施の形態では、突起体は、１個のみ形成されたものであったが、胴体の上端の一部に形成されたものであれば、複数個形成されていても良い。
【００７３】
更に、上記の第１の実施の形態では、アーム体の一方端は、特定の形状を有するものであったが、植木鉢の突起体に係合するものであれば、他の形状であっても良い。
【００７４】
更に、上記の第１の実施の形態では、突起体が形成される胴体の部分は、特定の形状に形成されたものであったが、それ以外の形状に形成されても良い。
【００７５】
更に、上記の第１の実施の形態では、アーム体の一方端は、上下反転した状態で突起体に係合するものであったが、他方端が胴体の内方に位置するようにして倒立状態の給水用ボトルを固定するものであれば、上下反転した状態で突起体に係合できない形状であっても良い。
【００７６】
更に、上記の第１の実施の形態では、アーム体の一方端は、突起体に対して脱着自在に、且つ回動自在に係合するものであったが、突起体に係合するものであれば、脱着自在に、又は、回動自在に係合していなくても良い。
【００７７】
更に、上記の第２の実施の形態では、凹み体が形成された胴体の部分は、平面視において所定長さだけ内方側に凹んだ形状であったが、平面視において内方側に凹んだ形状であれば、所定長さは自由に決めて良い。
【００７８】
更に、上記の第２の実施の形態では、凹み体は、特定の形状を有するものであったが、アーム体の一方端が係合するものであれば、その他の形状であっても良い。
【００７９】
更に、上記の第２の実施の形態では、凹み体は、１個のみ形成されたものであったが、胴体の上端の一部に形成されたものであれば、複数個形成されていても良い。
【００８０】
更に、上記の第２の実施の形態では、アーム体の一方端は、特定の形状を有するものであったが、植木鉢の凹み体に係合するものであれば、他の形状であっても良い。
【００８１】
更に、上記の第２の実施の形態では、凹み体が形成される胴体の部分は、特定の形状に形成されたものであったが、それ以外の形状に形成されても良い。
【００８２】
更に、上記の第２の実施の形態では、アーム体の一方端は、上下反転した状態で凹み体に係合するものであったが、他方端が胴体の内方に位置するようにして倒立状態の給水用ボトルを固定するものであれば、上下反転した状態で凹み体に係合できない形状であっても良い。
【００８３】
更に、上記の第２の実施の形態では、アーム体の一方端は、凹み体に対して脱着自在に、且つ回動自在に係合するものであったが、凹み体に係合するものであれば、脱着自在に、又は、回動自在に係合していなくても良い。
【符号の説明】
【００８４】
１…給水用ボトル
２…注水口
１１、１２…植木鉢
２０…胴体
２２…部分
２３…突起体
２４…凹み体
３１…アーム体
３２…一方端
３８…他方端
３９…キャップ部
４０…先端
４２…開口
尚、各図中同一符号は同一又は相当部分を示す。
【要約】
【課題】  給水用ボトルの紛失や不用意な移動がないと共に、使い勝手が向上する植木鉢を提供する。
【解決手段】  植木鉢１１は、上方が開放された胴体２０と、胴体２０の上端の一部に形成された略円柱形状を有する突起体２３と、その一方端３２が突起体２３に脱着自在、且つ回動自在に係合すると共に、その他方端３８が胴体２０の内方に位置するように延びて倒立状態の給水用ボトル１に固定されるアーム体３１とから構成される。アーム体３１の一方端３２は略筒形状に形成され、アーム体３１の他方端３８は給水用ボトル１の注水口に螺合するキャップ部３９が形成されている。このように構成することにより、給水用ボトル１は、アーム体３１を介して胴体２０に保持されるため、給水用ボトル１の紛失や不用意な移動がないと共に、使い勝手が向上する。
【選択図】  図９【図１】
0005922747.tif 000002
【図２】
0005922747.tif 000003
【図３】
0005922747.tif 000004
【図４】
0005922747.tif 000005
【図５】
0005922747.tif 000006
【図６】
0005922747.tif 000007
【図７】
0005922747.tif 000008
【図８】
0005922747.tif 000009
【図９】
0005922747.tif 000010
【図１０】
0005922747.tif 000011
【図１１】
0005922747.tif 000012
【図１２】
0005922747.tif 000013
【図１３】
0005922747.tif 000014
【図１４】
0005922747.tif 000015
【図１５】
0005922747.tif 000016
【図１６】
0005922747.tif 000017
【図１７】
0005922747.tif 000018